(57)【要約】【課題】加熱室の壁部に設けられた温度検出用の検出孔から高周波が漏波しない高周波加熱装置を提供する。【解決手段】加熱室１０３内の温度を検出するために加熱室１０３の壁部１０６に設けられた検出孔２１の周囲に設けた電磁波吸収体２２が、検出孔２１から漏れようとする高周波を吸収するので、検出孔２１からの漏波を防止することができる。【選択図】図４
2008275270.tif 000002
【特許請求の範囲】
【請求項１】
高周波により加熱される加熱室と、
前記加熱室内の温度を検出するために前記加熱室の壁部に設けられた検出孔と、
前記検出孔の周囲に設けられた電磁波吸収体と、を備えたことを特徴とする高周波加熱装置。
【請求項２】
前記電磁波吸収体が、前記壁部の外側面に設けられていることを特徴とする請求項１に記載の高周波加熱装置。
【請求項３】
前記検出孔の縁部に筒部が設けられていることを特徴とする請求項１に記載の高周波加熱装置。
【請求項４】
前記筒部が前記加熱室に向かって拡開するテーパ形状であることを特徴とする請求項３に記載の高周波加熱装置。
【発明の詳細な説明】
【技術分野】
【０００１】
本発明は、蒸気を用いて被加熱物を加熱する蒸気発生機能付高周波調理器に関するものである。
【背景技術】
【０００２】
従来、蒸気を用いて調理することができる高周波調理器が知られている（例えば特許文献１参照）。
図５に示すように、特許文献１に記載の蒸気発生機能付高周波調理器１００は高周波と水蒸気との少なくともいずれかを供給して被加熱物を加熱処理するものであり、前面が開口した矩形箱状の本体１０１を有し、前面の開口には開閉扉１０２が設けられている。本体１０１内部には加熱室１０３が設けられており、加熱室１０３の下側には、高周波を発生するマグネトロン１０４と、マグネトロン１０４から発生したマイクロ波を撹搾する回転アンテナ１０５が設けられている。
【０００３】
また、加熱室１０３の後部に設けられている仕切板１０６の後方の後部空間１１１には、加熱室１０３内の空気を撹搾・循環させる循環ファン１０７と、加熱室１０３内を循環する空気を加熱するコンベクションヒータ１０８とを備えている。仕切板１０６の中央部には吸入用の吸気孔１０６ａが設けられており、仕切板１０６の周縁部には排出用の排気孔１０６ｂが設けられている。従って、加熱室１０３内の空気は、循環ファン１０７によって吸気孔１０６ａから後部へ吸い込まれ、コンベクションヒータ１０８によって加熱されて排気孔１０６ｂから加熱室１０３へ供給される。
【０００４】
加熱室１０３の奥部には、水蒸気を発生させる蒸気発生用の蒸発皿１０９が設けられており、蒸気を用いて調理する際には、加熱室１０３の壁を貫通する供給管（図示省略）を介して加熱室１０３内の蒸発皿１０９に水が供給されるようになっている。また、仕切板１０６の上端部には、加熱室１０３内の温度を測定するために、仕切板１０６に設けた検出孔の奥に赤外線センサ１１０が設けられている。
【特許文献１】特許第３４７３９０８号公報（第１図）
【発明の開示】
【発明が解決しようとする課題】
【０００５】
ところで、近年、調理時間の短縮や調理品目を拡大するために、高周波の高出力化が進められている。このため、これまであまり問題にならなかった検出孔からの漏波対策に万全が求められるようになってきた。
【０００６】
本発明は、従来の問題を解決するためになされたもので、加熱室の壁部に設けられた温度検出用の検出孔から高周波が漏波しない高周波加熱装置を提供することを目的とする。
【課題を解決するための手段】
【０００７】
本発明の高周波加熱装置は、高周波により加熱される加熱室と、前記加熱室内の温度を検出するために前記加熱室の壁部に設けられた検出孔と、前記検出孔の周囲に設けられた電磁波吸収体と、を備えた構成を有している。
【０００８】
この構成により、加熱室内の温度を検出するために、加熱室の壁部に設けられた検出孔の周囲に設けた電磁波吸収体が、検出孔から漏れようとする高周波を吸収するので、検出孔からの漏波を確実に防止することができる。
【０００９】
また、本発明の高周波加熱装置は、前記電磁波吸収体が、前記壁部の外側面に設けられている構成を有している。
【００１０】
この構成により、電磁波吸収体を壁部の外側面に設けたので、調理によって汚れるのを防止することができる。また、加熱室側から見えないので、外観を損なわない。
【００１１】
さらに、本発明の高周波加熱装置は、前記検出孔の縁部に筒部が設けられている構成を有している。
【００１２】
この構成により、検出孔の縁部に設けた筒部によって、確実に漏波を防止することができる。
【００１３】
さらに、本発明の高周波加熱装置は、前記筒部が前記加熱室に向かって拡開するテーパ形状である構成を有している。
【００１４】
この構成により、温度検出手段が加熱室の温度検出のために首振りを行っても、筒部の先端が拡開しているので、温度検出を妨げない。
【発明の効果】
【００１５】
本発明は、加熱室内の温度を検出するために、加熱室の壁部に設けられた検出孔の周囲に設けた電磁波吸収体が、検出孔から漏れようとする高周波を吸収するので、検出孔からの漏波を防止することができるという効果を有する高周波加熱装置を提供することができるものである。
【発明を実施するための最良の形態】
【００１６】
以下、本発明の高周波加熱装置の実施の形態について、図面を用いて説明する。
図１は本発明の実施形態にかかる高周波加熱装置の概略斜視図、図２は図１中II−II位置の断面図、図３は壁部の裏側から見た温度検出部の斜視図、図４は電磁吸収体取付台の斜視図である。なお、従来技術において前述した部位と共通する部位には同じ符号を付して、重複する説明を省略することとする。
【００１７】
図１に示すように、本発明の高周波加熱装置１０は、高周波により加熱される加熱室１０３と、加熱室１０３内の温度を検出するために加熱室の壁部である仕切板１０６に設けられた温度検出部２０の検出孔２１と、検出孔２１の周囲に設けられた電磁波吸収体２２（図４参照）とを備えている。
【００１８】
図２に示すように、加熱室１０３の温度を検出するための温度検出部２０は、仕切板１０６から加熱室１０３側に突出するセンサ取付部２３を有しており、検出光が通過する切欠き２３ａが設けられている。図３に示すように、センサ取付部２３の裏側（図２において右側、図３において紙面表側）には、赤外線センサ１１０およびこの赤外線センサ１１０の首振りを行う首振りモータ２４および首振り機構２５が設けられている。また、センサ取付部２３の切欠き２３ａの裏側には、検出孔２１を有するセンサカバー２６が取り付けられている。
【００１９】
図４に示すように、センサカバー２６は、中央に検出孔２１を有するカバー面２８と、このカバー面２８を仕切板１０６の裏面１０６ａに取り付ける一対の支持脚２９、２９を有している。支持脚２９の先端は折り曲げて取付部２９ａが形成されており、取付部２９ａにはねじ穴２９ｂが設けられている。従って、取付部２９ａの上面（図４において上面）を仕切板１０６の裏面１０６ａに当接させて取り付けることにより、カバー面２８はセンサ取付部２３の内部空間に収容されることになる。また、検出孔２１はセンサ取付部２３の切欠き２３ａの内側に近接して設けられることになる。
【００２０】
図４に示すように、センサカバー２６の中央には、赤外線センサ１１０の検出光が通過する検出孔２１が設けられており、検出孔２１の縁部から後部空間１１１側（図３において紙面表側）に突出する筒部２７が設けられている。検出孔２１は、赤外線センサ１１０を上下方向に首を振るため、上下方向に長い長円形となっている。また、筒部２７は、加熱室１０３側である基端部２７ａが広くなっており、後部空間１１１側に突出した先端２７ｂが狭くなっている。すなわち、筒部２７は、加熱室に向かって拡開するテーパ形状となっている。筒部２７の高さは、高周波の波長をλとしたときに、例えば、λ／４以下とすることができる。
【００２１】
また、図４に示すように、カバー面２８の上面２８ａにおける検出孔２１の周囲には、高周波を吸収するフェライトゴム等の電磁波吸収体２２が設けられている。この電波吸収体２２は図４に示すように検出孔２１の左右に二つづつ貼り付けてあるが、左右にひとつづつとしても良いものである。従って、図３に示すように、センサカバー２６を仕切板１０６の外側面である裏面１０６ａに取り付けると、電磁波吸収体２２は、仕切板１０６の裏面１０６ａに近接あるいは当接することになる。すなわち、電磁波吸収体２２は、加熱室１０３の外側に近接して設けられることになる。なお、電磁波吸収体２２をカバー面２８に取り付けるのは、例えば、接着材や紐等を用いることができる。
【００２２】
以上のように本発明の高周波加熱装置１０によれば、加熱室１０３内の温度を検出するために、加熱室１０３の仕切板１０６に設けられた検出孔２１の周囲に設けた電磁波吸収体２２が、検出孔２１から加熱室１０３の外側に漏れようとする高周波を吸収するので、検出孔２１からの漏波を防止することができる。また、検出孔２１の縁部に筒部２７を設けたので、より確実に漏波を防止することができる。なお、筒部２７は加熱室１０３に向かって拡開するテーパ形状であるので、加熱室１０３の温度検出のために赤外線センサ１１０が首振りを行っても筒部２７に干渉しない。
【００２３】
また、電磁波吸収体２２を仕切板１０６の裏面１０６ａに設けたので、調理によって電磁波吸収体２２が汚れるのを防止することができる。また、加熱室１０３側から見えないので、外観を損なわない。
【００２４】
なお、本発明の高周波加熱装置は、前述した実施形態に限定されるものでなく、適宜な変形，改良等が可能である。
例えば、前述した実施形態において、温度検出部２０を、加熱室１０３の奥に設けられている仕切板１０６に設けて、仕切板１０６に検出孔２１を形成したが、加熱室１０３の側面に設けることも可能である。
【００２５】
また、前述した実施形態においては、筒部２７を備えたセンサカバー２６を仕切板１０６の後方に設けた場合について説明したが、センサカバー２６を仕切板１０６の前方に取り付けて筒部２７が加熱室１０３に突出するように設けることも可能である。この場合には、筒部２７は、センサカバー２６から突出する方向に拡開するように設けることになる。
【産業上の利用可能性】
【００２６】
以上のように、本発明にかかる高周波加熱装置は、加熱室内の温度を検出するために、加熱室の壁部に設けられた検出孔の周囲に設けた電磁波吸収体が、検出孔から漏れようとする高周波を吸収するので、検出孔からの漏波を防止することができるという効果を有し、蒸気を用いて被加熱物を加熱する蒸気発生機能付高周波調理器等として有用である。
【図面の簡単な説明】
【００２７】
【図１】本発明の実施形態にかかる高周波加熱装置の概略斜視図
【図２】図１中II−II位置の断面図
【図３】仕切板の裏側から見た温度検出部の斜視図
【図４】電磁吸収体取付台の斜視図
【図５】従来の高周波加熱装置の概略斜視図
【符号の説明】
【００２８】
１０  高周波加熱装置
２１  検出孔
２２  電磁波吸収体
２７  筒部
１０３  加熱室
１０６  仕切板（壁部）
１０６ａ  裏面（外側面）
【図１】
2008275270.tif 000003
【図２】
2008275270.tif 000004
【図３】
2008275270.tif 000005
【図４】
2008275270.tif 000006
【図５】
2008275270.tif 000007